(57)【要約】【課題】埋込形配線器具の施工作業を容易にする。【解決手段】施工現場において梱包箱１から取り出した埋込形配線器具Ｓを壁の所定箇所に埋込配設した後、梱包箱１に同梱されている養生シート１０（シート材１１から切り目１３で切断された個片１２）を埋込形配線器具Ｓの前面に貼着すれば、内装の仕上げ（壁面の塗装）が行われる際、埋込形配線器具Ｓに塗料が付着しないように養生することができる。このように埋込形配線器具Ｓの梱包箱１に養生シート１０を同梱しているので、施工業者が自ら養生用のテープを用意する必要が無くなって施工作業が容易になる。【選択図】図１
2008133011.tif 000002
【特許請求の範囲】
【請求項１】
壁面のような造営面に埋込配設される埋込形配線器具を梱包する梱包箱であって、開閉自在の蓋を有する箱体と、箱体内で１乃至複数の埋込形配線器具を固定する固定部材とを備え、施工時に埋込形配線器具の表面に貼着される１乃至複数枚の養生シートが埋込形配線器具とともに箱体内に収納されてなることを特徴とする埋込形配線器具用の梱包箱。
【請求項２】
壁面のような造営面に埋込配設される埋込形配線器具を梱包する梱包方法であって、開閉自在の蓋を有する箱体と、箱体内で１乃至複数の埋込形配線器具を固定する固定部材とを備えた梱包箱に、施工時に埋込形配線器具の表面に貼着される１乃至複数枚の養生シートを同梱することを特徴とする埋込形配線器具の梱包方法。
【請求項３】
請求項１又は請求項２における養生シートであって、一方の面に接着剤が塗布されたシート材を有し、該シート材は埋込形配線器具表面を覆う寸法の個片に分割するための切り目が形成されてなることを特徴とする埋込形配線器具用の養生シート。
【請求項４】
請求項１又は請求項２における養生シートであって、埋込形配線器具表面を覆う寸法に形成されるとともに一方の面に接着剤が塗布されたシート材からなることを特徴とする埋込形配線器具用の養生シート。
【請求項５】
前記シート材は、接着剤が塗布されていない他方の面に種々の情報を伝達するための文字や記号、図形などが印刷されてなることを特徴とする請求項３又は４記載の埋込形配線器具用の養生シート。
【請求項６】
相対的に粘度が低い接着剤が前記シート材に塗布されてなることを特徴とする請求項３〜５の何れか１項に記載の埋込形配線器具用の養生シート。
【請求項７】
前記シート材は、埋込形配線器具表面の周縁部分と対向する部位にのみ接着剤が塗布されてなることを特徴とする請求項３〜６の何れか１項に記載の埋込形配線器具用の養生シート。
【発明の詳細な説明】
【技術分野】
【０００１】
本発明は、スイッチやコンセントのような埋込形配線器具を梱包する梱包箱、梱包方法、並びに施工時に埋込形配線器具を養生するための養生シートに関するものである。
【背景技術】
【０００２】
従来より、壁面のような造営面に埋込配設される埋込形配線器具が提供されている。図５（ａ）に示すものは、電路の電圧で点灯することにより操作部分の位置を表示する表示部を備えたタンブラスイッチＳであって、電路と接続する端子部や電路を開閉する開閉機構、前記表示部などを合成樹成形品からなる器体１０１に収納してなるスイッチ本体１００と、スイッチ本体１００の前面に揺動自在に取り付けられて開閉機構を操作する操作ハンドル１０２と、１乃至複数個（図示例では３個）のスイッチ本体１００が短幅方向に一列に並べて取り付けられるプレート枠２００と、操作ハンドル１０２を露出させる開口窓２０１ａを有しプレート枠２００の前面に被着される化粧プレート２０１とで構成される（特許文献１参照）。
【０００３】
このような埋込形配線器具は、例えば、壁面に設けられた埋込孔にスイッチ本体１００の後端部を埋め込むとともに埋込孔内に埋設されている埋込ボックスにプレート枠２００が取り付けられることで壁面に埋込配設される。ここで、埋込形配線器具の施工後に内装の仕上げ（壁面の塗装）が行われる場合、埋込形配線器具に塗料が付着しないように養生する必要があり、そのために従来は、図５（ｂ）に示すように操作ハンドル１０２と化粧プレート２０１を取り外した埋込形配線器具の表面（前面）にテープ２１０を貼着していた（図５（ｃ）参照）。
【特許文献１】特開２００６−２０２７１６号公報
【発明の開示】
【発明が解決しようとする課題】
【０００４】
しかしながら、従来は施工業者が自ら用意したテープで埋込形配線器具表面を養生しなければならなかったため、施工作業が煩わしくなり、しかも、養生用のテープを用意していない場合に作業に手間取ってしまうという問題があった。
【０００５】
本発明は上記事情に鑑みて為されたものであり、その目的は、施工作業が容易になる埋込形配線器具用の梱包箱並びに梱包方法、埋込形配線器具用の養生シートを提供することにある。
【課題を解決するための手段】
【０００６】
請求項１の発明は、上記目的を達成するために、壁面のような造営面に埋込配設される埋込形配線器具を梱包する梱包箱であって、開閉自在の蓋を有する箱体と、箱体内で１乃至複数の埋込形配線器具を固定する固定部材とを備え、施工時に埋込形配線器具の表面に貼着される１乃至複数枚の養生シートが埋込形配線器具とともに箱体内に収納されてなることを特徴とする。
【０００７】
請求項２の発明は、上記目的を達成するために、壁面のような造営面に埋込配設される埋込形配線器具を梱包する梱包方法であって、開閉自在の蓋を有する箱体と、箱体内で１乃至複数の埋込形配線器具を固定する固定部材とを備えた梱包箱に、施工時に埋込形配線器具の表面に貼着される１乃至複数枚の養生シートを同梱することを特徴とする。
【０００８】
請求項３の発明は、請求項１又は請求項２における養生シートであって、一方の面に接着剤が塗布されたシート材を有し、該シート材は埋込形配線器具表面を覆う寸法の個片に分割するための切り目が形成されてなることを特徴とする。
【０００９】
請求項４の発明は、請求項１又は請求項２における養生シートであって、埋込形配線器具表面を覆う寸法に形成されるとともに一方の面に接着剤が塗布されたシート材からなることを特徴とする。
【００１０】
請求項５の発明は、請求項３又は４の発明において、前記シート材は、接着剤が塗布されていない他方の面に種々の情報を伝達するための文字や記号、図形などが印刷されてなることを特徴とする。
【００１１】
請求項６の発明は、請求項３〜５の何れか１項の発明において、相対的に粘度が低い接着剤が前記シート材に塗布されてなることを特徴とする。
【００１２】
請求項７の発明は、請求項３〜６の何れか１項の発明において、前記シート材は、埋込形配線器具表面の周縁部分と対向する部位にのみ接着剤が塗布されてなることを特徴とする。
【発明の効果】
【００１３】
請求項１，２の発明によれば、施工時に埋込形配線器具の表面に貼着される１乃至複数枚の養生シートが埋込形配線器具とともに箱体内に収納されているので、従来のように施工業者が養生用のテープを用意する必要がないことから施工作業が容易になる。
【００１４】
請求項３の発明によれば、シート材に形成されている切り目に沿って個片に分割すればよいから、施工作業が容易である。
【００１５】
請求項４の発明によれば、請求項３の発明に比べて、シート材を個片に分割する必要がないことから施工作業がさらに容易である。
【００１６】
請求項５の発明によれば、例えば施工手順を説明した情報（説明文や説明図）をシート材に印刷しておくことで施工作業がさらに容易になる。
【００１７】
請求項６の発明によれば、接着剤の粘度が相対的に低いため、施工後に養生シートを容易に剥がすことができるとともに埋込形配線器具の表面に接着剤が残留し難い。
【００１８】
請求項７の発明によれば、シート材の必要な部位、つまり、埋込形配線器具表面の周縁部分と対向する部位にのみ接着剤が塗布されているため、施工後に養生シートを容易に剥がすことができる。
【発明を実施するための最良の形態】
【００１９】
以下、図面を参照しながら本発明に係る埋込形配線器具の梱包箱、梱包方法、養生シートの実施形態について詳細に説明する。
【００２０】
図１（ａ）は本実施形態の梱包箱１を示す分解斜視図である。この梱包箱１は、開閉自在の蓋３を有する箱体２と、箱体２内で１乃至複数（図示例では５個）の埋込形配線器具Ｓを固定する固定部材４とを備えている。
【００２１】
箱体２は、一般にＢ式箱と呼ばれる段ボール製の紙器からなり、差込形の蓋３を一体に有している。固定部材４は段ボールを加工してなり、箱体２の底面とほぼ同寸法に形成された固定部４ａと、固定部４ａの周縁から曲げ起こされた４つの支持片４ｂとを有し、４つの支持片４ｂの先端を箱体２の底面に当接するようにして箱体２内に収納される。また固定部４ａには矩形の固定孔４ｃが長手方向に複数（図示例では５つ）並べて設けられている。
【００２２】
上述のように構成される梱包箱１に埋込形配線器具Ｓと養生シート１０が同梱される。埋込形配線器具Ｓは従来技術で説明したタンブラスイッチであって、１個のスイッチ本体１００と、スイッチ本体１００の前面に揺動自在に取り付けられて開閉機構を操作する１個の操作ハンドル１０２と、スイッチ本体１００が短幅方向中央に取り付けられるプレート枠２００と、プレート枠２００の前面に被着される化粧プレート２０１とで構成されており、後端側が固定部４ａの各固定孔４ｃに差し込まれて固定される。
【００２３】
養生シート１０は、図２に示すように長尺のシート材１１に、埋込形配線器具Ｓの表面を覆う寸法の個片１２に分割するための複数（図示例では４つ）の切り目１３が形成されてなり、シート材１１の裏面においては各個片１２の長手方向に沿った両端部にのみ接着剤１４が塗布されている。但し、個片１２の枚数は梱包箱１に同梱する埋込形配線器具Ｓの個数と同じ若しくは多くすることが望ましい。ここで、梱包箱１内で養生シート１０が貼り付くのを防ぐため、接着剤１４が塗布されたシート材１１の裏面には剥離可能な台紙（図示せず）が貼り付けられている。
【００２４】
而して、施工現場において梱包箱１から取り出した埋込形配線器具Ｓを壁の所定箇所に埋込配設した後、図３に示すように梱包箱１に同梱されている養生シート１０（シート材１１から切り目１３で切断された個片１２）を埋込形配線器具Ｓの前面に貼着すれば、内装の仕上げ（壁面の塗装）が行われる際、埋込形配線器具Ｓに塗料が付着しないように養生することができる。このように埋込形配線器具Ｓの梱包箱１に養生シート１０を同梱しているので、施工業者が自ら養生用のテープを用意する必要が無くなって施工作業が容易になる。しかも、シート材１１の必要な部位、つまり、埋込形配線器具Ｓ表面の周縁部分と対向する部位にのみ接着剤１４が塗布されているため、施工後（内装仕上げ後）に養生シート１０を容易に剥がすことができる。さらに、図１（ｂ）に示すようにシート材１１を予め個片１２の大きさに裁断して梱包箱１に同梱すれば、施工現場においてシート材１１を切り目１３で切断する手間を省くことができる。
【００２５】
ここで、養生シート１０に塗布する接着剤１４として相対的に粘度が低いものを用いれば、施工後に養生シート１０を容易に剥がすことができるとともに埋込形配線器具Ｓの表面に接着剤１４が残留し難いという利点がある。
【００２６】
また、図４に示すように養生シート１０（個片１２）の前面（接着剤１４が塗布されていない面）に種々の情報、例えば、埋込形配線器具Ｓの施工手順を説明した説明文や説明図を印刷しておけば施工作業がさらに容易に行える。但し、施工手順を説明した説明文や説明図以外に、例えば、埋込形配線器具Ｓの製造者や販売者の連絡先などを印刷しても構わない。
【図面の簡単な説明】
【００２７】
【図１】（ａ）は本発明に係る梱包箱並びに養生シートの実施形態を示す分解斜視図、（ｂ）は他の構成の養生シートを示す斜視図である。
【図２】同上における養生シートの平面図である。
【図３】同上における養生シートを埋込形配線器具前面に貼り付けた状態の斜視図である。
【図４】同上における他の構成の養生シートを示す平面図である。
【図５】（ａ）〜（ｃ）は従来の施工手順を説明するための説明図である。
【符号の説明】
【００２８】
１  梱包箱
２  箱体
３  蓋
４  固定部材
１０  養生シート
Ｓ  埋込形配線器具（タンブラスイッチ）
【図１】
2008133011.tif 000003
【図２】
2008133011.tif 000004
【図３】
2008133011.tif 000005
【図４】
2008133011.tif 000006
【図５】
2008133011.tif 000007